(57)【要約】【課題】質感や触り心地を維持しつつ機械的強度にも優れたグリップ等を有し、操作性に富む釣竿を提供する。【解決手段】この釣竿のリアグリップ６は、ＮＢＲ等のゴム素材に天然コルク素材を粉砕したコルク粒を混入してなる円筒部材である。所定の円筒型に成形加工し、表面を研磨加工してコルク粒が周面に顕出している。【選択図】　　　図２
2004033057.tif 000002
【特許請求の範囲】
【請求項１】
魚釣りに用いる釣竿であって、
竿体と、
前記竿体が貫通した状態で前記竿体の外周面に固定されたゴム素材にコルク粒を混入してなる円筒部材であり、コルク粒が周面に顕出しているグリップ及び／又はリールシート本体と
を備えた釣竿。
【請求項２】
魚釣りに用いる釣竿の製造方法であって、
コルク材を解体して粉砕しコルク粒を形成し、ゴム素材に前記コルク粒を混入した上で所定の円筒型に成型する工程と、
前記成型したゴム素材の周面を研磨して混入されたコルク粒を表面に顕出させてグリップ及び／又はリールシート本体に加工する工程と、
炭素繊維又はガラス繊維に合成樹脂を含浸させたプリプレグ素材を焼成して竿体を製造する工程と、
前記竿体の周面に前記グリップ及び／又はリールシート本体を配置する工程と、
を含む製造方法。
【発明の詳細な説明】
【０００１】
【発明の属する技術分野】
本発明は、魚釣りに用いる釣竿に関する。
【０００２】
【従来の技術】
従来の釣竿は、竿体と、竿体の竿元側に配置されリールを装着するためのリールシートと、リールシートの竿元側や穂先側の竿体周面に固定されたグリップとを有している。このグリップは、例えば、ポリウレタンやＥＶＡ等の弾性合成樹脂やコルク材等からなる略円筒型部材であって、竿体の所定の周面上に接着剤等で固定されたり、竿体に直接射出成型等されて固定されている。
【０００３】
また、リールシートはリールを脱着自在に竿体に装着する部分である。このリールシートは、例えば、ＡＢＳ等の硬質合成樹脂等から形成されている略筒状の本体部を有し、この本体部が竿体の周面に接着剤等で固定されたり、竿体に直接射出成形等されている。この本体部にはリールの脚部を載置する載置面や、リールの脚部の端部を覆いながら挟持するフードなども設けられている。
【０００４】
釣人はこのような釣竿において、リールシートに取り付けたリールの脚部と共にリールシートの本体部やグリップを把持してキャスティングやリトリーブ等の操作を行い、魚を釣り上げることになる。
【０００５】
【発明が解決しようとする課題】
上述のように、グリップやリールシートの本体部は釣人が直接把持する部分であり、その触り心地や質感が重視される部分である。一方で、グリップ等は釣り人が把持して釣り操作を行う部分であり、大きな力が加えられてもこれに耐え得る強度が要求される部分である。
【０００６】
従来のグリップの中で最も質感や触り心地に優れるものとして重宝されてきたのが天然コルク材からなるグリップであった。しかし、このようなコルク材は強度的に脆い面がある。特に、リールシートの本体部をコルク材から形成することは、その強度から困難である。また、通常期においては問題とならないが、冬等の冷寒時において、コルク材は触った際に釣人が冷たく感じるという点が指摘されている。さらに、濡れた手で繰り返し握っていると滑りやすくなるという指摘もある。
【０００７】
本発明の課題は、質感や触り心地を維持しつつ機械的強度にも優れたグリップ等を有し、操作性に富む釣竿を提供することにある。
【０００８】
【課題を解決するための手段】
発明１に係る釣竿は、魚釣りに用いる釣竿であって、竿体と、竿体が貫通した状態で竿体の外周面に固定されたゴム素材にコルク粒を混入してなる円筒部材であり、コルク粒が周面に顕出しているグリップ及び／又はリールシート本体とを備えている。
【０００９】
この釣竿では、コルク粒を混入したゴム素材を成形加工して、釣人が釣り操作を行う際に直接把持する部分であるグリップやリールシート本体を形成している。このようなグリップやリールシート本体は、周面にコルク粒が顕出しており、コルクのような外観・質感を維持している。一方で、ゴム素材から加工されているこのグリップやリールシート本体は滑りにくく且つ機械的強度にも優れる。リールを取り付けて大きな負荷がかかる天然コルクでは形成し得なかったリールシート部分をも成形可能である。
【００１０】
また、このグリップやリールシート本体は、ゴム素材を一体的に円筒型に形成加工しており不要な隙間が生じないので、汚れた手で把持するグリップやリールシートに対する適性も高い。さらに、単純にゴム素材のみでグリップやリールシートを形成した場合に比較してコルク粒の混入により軽量化も図られる。
発明２に係る釣竿は、魚釣りに用いる釣竿の製造方法であって、以下の工程を含む。コルク材を解体して粉砕しコルク粒を形成し、ゴム素材にコルク粒を混入した上で所定の円筒型に成型する工程。成型したゴム素材の周面を研磨して混入されたコルク粒を表面に顕出させてグリップ及び／又はリールシート本体に加工する工程。炭素繊維又はガラス繊維に合成樹脂を含浸させたプリプレグ素材を焼成して竿体を製造する工程。竿体の周面にグリップ及び／又はリールシート本体を配置する工程。
【００１１】
【発明の実施の形態】
［第１実施形態］
以下、本発明の第１実施形態について、図面を参照しつつ説明する。
本発明の第１実施形態を採用した釣竿は、図１に示すように、元竿１と、その穂先側に連結される穂先竿２とを有している。両竿体は、それぞれ炭素繊維等の強化繊維に合成樹脂を含浸させたプリプレグ材から構成された先細り筒状部材である。いわゆる並継形式で連結されており、穂先側の穂先竿２の竿元側端部は元竿１の穂先側端部に挿入して連結可能となっている。
【００１２】
元竿１は、リール（図示せず）を脱着自在に装着可能なリールシート３と、リールシート３の穂先側の外周面に配置されるフロントグリップ４と、穂先側の竿体周面に固定された複数の釣糸ガイド５と、竿元側端部の外周面に配置されるリアグリップ６とを有している。一方、穂先竿２は、その周面に軸方向に一定の間隔を隔てて複数個配置されている複数の釣糸ガイド７を有している。このような釣竿では、リールシートにスピニングリールや両軸リールなどの所望のリールを取り付けて、このリールからの釣糸を順次釣糸ガイド５，７に挿通させて穂先側に導くことになる。
【００１３】
図２に示すように、リアグリップ６は、ゴム素材からなる蓋付き円筒型部材である。詳しくは、このリアグリップ６は、竿元側端部が蓋閉めされた形状であり、穂先側から元竿１の竿体１０が挿入された状態で、元竿１の竿体１０の竿元側端部周面に接着剤等で固定されている。また、このリアグリップ６は元竿１の竿体１０の先細りテーパに併せて、穂先側ほど小径化するようなテーパが施されている。
【００１４】
このリアグリップ６は、ＳＢＲやＮＢＲなどのゴム素材にコルク粒を混入したものからなる。具体的には、以下のように製造されている。まず、天然のコルク材を解体して粉砕してコルク粒を形成する。この段階でコルク粒の粒径を整える等の精製処理を施す。続いて、所定のゴム素材の流体化状態にこのコルク粒を混入する。コルク粒を混入したゴム素材に加硫処理等を施し、例えば、所定の型内においてこのゴム素材を任意の円筒形形状に成形加工する。その後、成型したゴム素材の周面を研磨して混入されたコルク粒を表面に顕出させつつ、その形状を整える。そして、このようにして成形したリアグリップ６を、プリプレグ素材を焼成して形成した元竿１の竿元側端部に配置して接着剤等で固定する。
【００１５】
なお、ここではリアグリップ６についてのみ説明しているが、必要に応じて、フロントグリップ４についても、このリアグリップ６と同様のコルク粒入りとしてもよい。
この釣竿では、釣人が釣り操作を行う際に直接把持する部分であるリアグリップ６（さらに、フロントグリップ４）が所定のコルク粒入りゴム素材から形成されており、その周面にコルク粒が顕出してコルクのような外観・質感が維持されている。また、一方で、ゴム素材から加工されているこのリアグリップ６は滑りにくく且つ機械的強度にも優れ、軽量化も図られる。
【００１６】
釣りを行う際には、釣人はゴミなどが付着した汚れた手でリアグリップ６を把持する機会も多い。このリアグリップ６はゴム素材を一体的に円筒型に形成加工しており不要な隙間が生じないので、汚れた手で釣人がリアグリップ６を把持しても、ゴミなどが付着し難く汚れにくい。
［第２実施形態］
以下、本発明の第２実施形態について、図面を参照しつつ説明する。
【００１７】
本発明の第２実施形態を採用した釣竿は、第１実施形態と同様に、元竿及び穂先竿とからなる。そして、図３に示すように、元竿の竿体１１の周面にはリールシート２０が装着されている。このリールシート２０は、釣用リールの脚部を係止して釣用リールを釣竿に装着するためのものである。
リールシート２０は、元竿の竿体１１の外周に装着される本体部２１と、移動シート部２２と、ナット部２３とを有している。
【００１８】
本体部２１は、内部に釣竿の竿体１１が貫通して装着される変形筒状部材である。この本体部２１は、上記第１実施形態のグリップと同様に、コルク粒を混入したゴム素材から形成される。即ち、コルク粒を混入したゴム素材を所定の形状に成形し、その周面を研磨処理等して形状を整えつつコルク粒を表面に顕出させたものである。
【００１９】
この本体部２１は、変形筒状の大径部２５と、大径部２５の穂先側に筒状の伸びる小径部２６との２部分からなる。大径部２５は、その竿元側端部に設けられリールの脚部の一端を係止するための固定フード３０と、固定フード３０の穂先側に平坦に形成されリールの脚部を載置するための載置部３１とを有する。この固定フード３０は大径部２５の竿元側外周において載置部３１の竿元側から上方を覆うようにして載置部３１と一体的に形成されている。この載置部３１の左右両側は、リールの脚部の幅方向への移動を規制するための突起部３２が載置部３１と一体的に形成されている。
【００２０】
なお、この本体部２１全体を所定のコルク粒を混入したゴム素材から形成するのに代えて、図３に示すように、大径部２５の固定フード３０の周方向反対側（１８０度変位した側）にシートグリップ４０を配置し、このシートグリップ４０のみを所定のコルク粒を混入したゴム素材から形成してもよい。もしくは、本体部２１の載置部３１の周方向反対側の半周面を覆うような半円筒型ゴム素材を貼り付ける等でもよい。
【００２１】
小径部２６の周面には、上述の大径部２５の載置部３１が連続している。また、この小径部２６の穂先側周面には上述の載置部３１を除いて雄ネジ部３３が形成されている。そして、雄ネジ部３３の左右両側面には、移動シート２２を回転不能に係止するための係止溝３４が形成されている。
移動シート部２２は、内径が小径部２６の外径にほぼ一致する筒状の部材であって、小径部２６の外周を軸方向に移動可能である。移動シート部２２は、小径部２６の外周を周方向に回転しないように係止溝３４に係止される係止突起３５を内周面に有する。この移動シート部２２は、固定フード３０に対向して配置されリールの脚部の他端を覆いながら係止可能な移動フードとなる。
【００２２】
また、ナット部２３は、円筒型部材であって、その内周面が上述の雄ネジ部３３に螺合する。このナット部２３の外周にフロントグリップが装着されることになる。
このような釣竿にあっては、このリールシート２０に、以下のようにしてリールを取り付ける。即ち、ナット部２３を回転させて軸方向に移動させて、移動シート部２２を軸方向に移動させる。そして、載置面３１上に載置するリールの脚部を、固定フード３０と、移動シート部２２の移動フードとで挟持する。
【００２３】
このようにリールシート２０にリールを取り付けた後で、釣人は、（例えば、スピニングリールをリールシート２０に装着した場合であれば、リールの脚部を指の間に挟み込みながら）、リールシート２０の本体部２１を把持して、釣り操作を行う。この釣り操作を行う際に直接把持する部分である本体部２１が所定のコルク粒入りゴム素材から形成されており、その周面にコルク粒が顕出してコルクのような外観・質感が維持されている。また、一方で、ゴム素材から加工されているこの部分は滑りにくく且つ機械的強度にも優れ、軽量化も図られる。
【００２４】
【発明の効果】
本発明に係る釣竿は、質感や触り心地と共に機械的強度にも優れたグリップ等を有し、意匠性にも操作性にも優れる。
【図面の簡単な説明】
【図１】本発明の第１実施形態を採用した釣竿の全体図。
【図２】図１のリアグリップ６の断面図。
【図３】本発明の第２実施形態を採用したリールシート２０を示した図。
【符号の説明】
１　元竿
２　穂先竿
３，２０　リールシート
４　フロントグリップ
６　リアグリップ
【図１】
2004033057.tif 000003
【図２】
2004033057.tif 000004
【図３】
2004033057.tif 000005